(57)【要約】【課題】部品点数が少なく軽量であって、分岐線を建築物から引き離して支持させることのできる配電線の空中分岐構造及び空中分岐方法及び分岐用絶縁体を提供する。【解決手段】本線１から分岐した複数の分岐線２を支持する絶縁体６の芯部に軸方向の挿通孔６４を設けて、この挿通孔６４にメッセンジャーワイヤ３を挿通して絶縁体６をメッセンジャーワイヤ３に取付ける。また、メッセンジャーワイヤ３に２本の板状のアーム部材３１を挿着して横方向に延出させたうえに、両端に雄ねじ部６６を設けた絶縁体６を２本のアーム部材３１の先端間に掛け渡してナット６７で締め付け固定する。【選択図】  図６
2004266916.tif 000002
【特許請求の範囲】
【請求項１】
本線から分岐した複数の分岐線が、本線の下方のメッセンジャーワイヤに取付けられた分岐用絶縁体を介して支持されている配電線の空中分岐構造において、前記絶縁体はその芯部に軸方向の挿通孔を有しており、該挿通孔にメッセンジャーワイヤが挿通されて取付けられていることを特徴とする配電線の空中分岐構造。
【請求項２】
本線から分岐した複数の分岐線が、本線の下方のメッセンジャーワイヤに取付けられた分岐用絶縁体を介して支持されている配電線の空中分岐構造において、前記絶縁体はメッセンジャーワイヤから横方向に延出した２本のアーム部材の先端間に掛け渡されて取付けられていることを特徴とする配電線の空中分岐構造。
【請求項３】
本線から分岐した複数の分岐線を、本線の下方のメッセンジャーワイヤに取付けられた絶縁体を介して支持させる配電線の空中分岐方法において、前記絶縁体の芯部に軸方向の挿通孔を設けて、該挿通孔にメッセンジャーワイヤを挿通することにより絶縁体をメッセンジャーワイヤに取付けることを特徴とする配電線の空中分岐方法。
【請求項４】
本線から分岐した複数の分岐線を、本線の下方のメッセンジャーワイヤに取付けられた絶縁体を介して支持させる配電線の空中分岐方法において、メッセンジャーワイヤに２本のアーム部材を取付けてこれらを横方向に延出したうえに、前記絶縁体を２本のアーム部材の先端間に掛け渡して取付けることを特徴とする配電線の空中分岐方法。
【請求項５】
芯材の長手方向に所要間隔を置いて分岐線支持用のリング部材が取り付けられた分岐用絶縁体であって、芯材はその芯部の軸方向にメッセンジャーワイヤの挿通孔が形成されていることを特徴とする分岐用絶縁体。
【請求項６】
芯材の長手方向に所要間隔を置いて分岐線支持用のリング部材が取り付けられた分岐用絶縁体であって、メッセンジャーワイヤから横方向に延出されたアーム部材の取付け部が芯材の両端に形成されていることを特徴とする分岐用絶縁体。
【発明の詳細な説明】
【０００１】
【発明の属する技術分野】本発明は、配電線を空中でＴ型に分岐するための配電線の空中分岐構造及び空中分岐方法及び分岐用絶縁体に関するものである。
【０００２】
【従来の技術】交差点などの設置上の制約があって電柱を設けることができない場所においては、水平に配線された高圧配電線の本線から空中でＴ型分岐を行って分岐線を分岐する空中分岐構造が採用されている。このような空中分岐構造として、例えば、特開２０００−２７８８４６号公報には、本線の下方に、その長さ方向の途中に高分子製の分岐用スペーサ（以下、単にスペーサと記す）が介装されているメッセンジャーワイヤを張設して、前記スペーサ自体に複数の分岐線を支持させるものが開示されている。
【０００３】
【特許文献】特開２０００−２７８８４６号公報（図２）
【０００４】しかしながら，上記したような空中分岐構造に使用するスペーサにおいては、その両端にボルトと支持金具とからなる固定部を設ける必要があり、この固定部はスペーサと異種材質であるので、部品点数、組付け工数が多くなり、このために重量でコスト高となる。しかも、このスペーサをメッセンジャーワイヤに連結するには、鋼線製の引留グリップを前記固定部に挿通している固定ボルトに巻回したうえに、メッセンジャーワイヤに巻き付ける必要があって、たいへん煩雑な作業を行わねばならず分岐線の取付け作業に手間がかかるという問題があった。一方、電柱がビルなどの建築物の近傍に立設されている場合には、安全のために高圧線を建築物からできるだけ離すことが求められる。しかし、従来の分岐構造では、電柱の中心軸上に張設されたメッセンジャーワイヤにスペーサが取付けられていたので、分岐線は本線よりも、より建築物に近接することがあり、安全上必ずしも十分なものではなかった。
【０００５】
【発明が解決しようとする課題】本発明は上記した従来の問題点を解決し、部品点数が少なく軽量である配電線の空中分岐構造及び空中分岐方法及び分機用絶縁体、及び部品点数が少なく軽量であって分岐線をメッセンジャーワイヤから引き離して支持させることのできる配電線の空中分岐構造及び空中分岐方法及び分岐用絶縁体を提供するためになされたものである。
【０００６】
【課題を解決するための手段】上記の課題を解決するためになされた本発明は、本線から分岐した複数の分岐線が、本線の下方のメッセンジャーワイヤに取付けられた絶縁体を介して支持されている配電線の空中分岐構造において、前記絶縁体はその芯部に軸方向の挿通孔を有しており、該挿通孔にメッセンジャーワイヤが挿通されて取付けられていることを特徴とする配電線の空中分岐構造であり、または、前記絶縁体はメッセンジャーワイヤから横方向に延出した２本のアーム部材の先端間に掛け渡されて取付けられていることを特徴とする配電線の空中分岐構造である。
【０００７】また、本発明は、本線から分岐した複数の分岐線を、本線の下方のメッセンジャーワイヤに取付けられた絶縁体を介して支持させる配電線の空中分岐方法において、前記絶縁体の芯部に軸方向の挿通孔を設けて、該挿通孔にメッセンジャーワイヤを挿通することにより絶縁体をメッセンジャーワイヤに取付けることを特徴とする配電線の空中分岐方法であり、または、メッセンジャーワイヤに２本のアーム部材を取付けてこれらを横方向に延出したうえに、絶縁体を２本のアーム部材の先端間に掛け渡して取付けることを特徴とする配電線の空中分岐方法である。
【０００８】また、本発明は、芯材の長手方向に所要間隔を置いて分岐線支持用のリング部材が取り付けられた分岐用絶縁体であって、芯材はその芯部の軸方向にメッセンジャーワイヤの挿通孔が形成されていることを特徴とする分岐用絶縁体であり、または、メッセンジャーワイヤから横方向に延出されたアーム部材の取付け部が芯材の両端に形成されていることを特徴とする分岐用絶縁体である。
【０００９】
【発明の実施の形態】以下に図面を参照しつつ本発明の好ましい実施形態を説明する。
図１は本発明の配電線の空中分岐方法により、本線から分岐線が分岐された空中分岐構造の第１の実施形態を示す図であって、１は本線、２は分岐線、３はメッセンジャーワイヤである。図においては、本線１支持用のアーム４が上部にＴ字形に装着された電柱（以下、水平心付装柱という）５の間に、３本の本線１が水平状に張設されており、各本線１から３本の分岐線２が分岐している。本線１の下方には本線１に並行して一本のメッセンジャーワイヤ３が張設されており、このメッセンジャーワイヤ３に分岐用絶縁体（以下、単に絶縁体と記す）６が挿着されて、この絶縁体６に分岐線２の支持部材７が支持されている。
【００１０】図２は第１の実施形態の絶縁体６を示す図であって、この絶縁体６は、管状の芯材６１と、この芯材６１の外周に被覆された外皮材６２と、複数のリング部材６３とからなる。芯材６１はＦＲＰ（繊維強化プラスチック）製であって、その芯部には軸方向にメッセンジャーワイヤ３の挿通孔６４が形成されている。外皮材６２はシリコーンゴムなどのゴム材料から形成されている。また、リング部材６３はエポキシ樹脂等の樹脂製であって、その外周面には分岐線２の支持部材７を支持するための環状凹部６５が形成されており、このリング部材６３は、芯材６１に所要間隔を置いて固定、配置されている。
【００１１】絶縁体６は、図３、４に示すように、その挿通孔６４にメッセンジャーワイヤ３が挿通されることによってメッセンジャーワイヤ３に取付けられている。絶縁体６のリング部材６３に分岐線２を支持させるには、分岐線２の支持部材７を用いる。支持部材７は、分岐線２と接続線２１とを接続可能に支持するコネクタ７１と、鋼線製などの取付けグリップ７２とからなる。すなわち、分岐線２と接続線２１とをコネクタ７１内で電気的に接続させるとともに、接続線２１の一端をコネクタ７１から突出させる。そして、取付けグリップ７２を絶縁体６のリング部材６３に掛け回したうえに、コネクタ７１から突出させた接続線２１の一端に巻き付けることによって、分岐線２を絶縁体６に支持させることができる。コネクタ７１は金属材料などにより形成されるが、このコネクタ７１は絶縁カバー７３により覆われている。また、取付けグリップ７２も絶縁材料により被覆されている。なお、分岐線２を長尺なものとして支持部材７内を挿通させるとともに、リング部材６３に掛け回した取付けグリップ７２の両端を支持部材７に係止させることによっても、分岐線２を絶縁体６に支持させることができる。
【００１２】図５、６には本発明に係る配電線の空中分岐構造の第２の実施形態を示す。図において、８は本線１支持用の槍出金具４１がその上部に逆Ｌ字形に一方にのみ延出して装着された電柱（以下、水平槍出装柱という）である。この水平槍出装柱８にも、前記した水平心付装柱５の場合と同様にしてメッセンジャーワイヤ３が張設されている。しかし、この水平槍出装柱８は、図示を省略したビルディングの近傍に立設されているので、前記した第１の実施形態と同様にして絶縁体６を取り付けることは保安上好ましくない。
【００１３】そこで、両端に取り付け孔３２、３３を有する板状のアーム部材３１を用いる。すなわち、一端の取り付け孔３２にメッセンジャーワイヤ３を挿入してアーム部材３１を２枚水平方向に延出させる。一方、絶縁体６の両端にはアーム部材３１の取付け部として雄ねじ部６６を設けて、この雄ねじ部６６をアーム部材３１の先端の取り付け孔３３に挿入して、絶縁体６を２本のアーム部材３１の先端間に掛け渡して取付ける。次いで、この絶縁体６に取付グリップ７２を掛け回したうえ支持部材７に連結することによって、絶縁体６をメッセンジャーワイヤ３から引き離して取り付けることができる。したがって、分岐線２をビルディングから適宜の距離を置いて支持することができるので、安全性を大幅に向上させることができる。分岐線２を絶縁体６に支持させた後は、脱落防止のために雄ねじ部６６にナット６７を螺合させて確実に締め付ける。また、第２の実施形態の配電線の空中分岐構造は、水平槍出装柱８に適用が限定されるものではなく、水平心付装柱５にも適用できることは言うまでもない。
【００１４】
【発明の効果】以上に説明したように、本発明の配電線の空中分岐構造は、絶縁体の芯部に軸方向の挿通孔を形成して、この挿通孔にメッセンジャーワイヤを挿通して絶縁体をメッセンジャーワイヤに取付けるようにしたので、構造を簡単にして部品点数の低減と軽量化とを図ることができる。また、メッセンジャーワイヤに横方向に延出する２本のアーム部材を取付け、絶縁体を２本のアーム部材の先端間に掛け渡して取付けるようにしたので、ビルディングなどの建築物から分岐線を引き離して支持させることができる。
したがって、本発明は、部品点数が少なく軽量である配電線の空中分岐構造及び空中分岐方法及び分岐用絶縁体、及び部品点数が少なく軽量であって分岐線をメッセンジャーワイヤから引き離して支持させることのできる配電線の空中分岐構造及び空中分岐方法及び分岐用絶縁体を提供するものとして工業的価値極めて大なものである。
【図面の簡単な説明】
【図１】本発明の第１の実施形態である配電線の空中分岐構造を示す斜視図である。
【図２】本発明の第１の実施形態である分岐用絶縁体を示す正面図と端部の部分断面図である。
【図３】本発明の第１の実施形態である配電線の空中分岐構造を示す要部詳細図である。
【図４】本発明の第１の実施形態である配電線の空中分岐構造を示す要部平面図である。
【図５】本発明の第２の実施形態である配電線の空中分岐構造を示す側面図である。
【図６】本発明の第２の実施形態である配電線の空中分岐構造を示す要部平面図である。
【符号の説明】
１  本線
２  分岐線
３  メッセンジャーワイヤ
６  絶縁体
３１  アーム部材
６４  挿通孔
６６  雄ねじ部
６７  ナット
【図１】
2004266916.tif 000003
【図２】
2004266916.tif 000004
【図３】
2004266916.tif 000005
【図４】
2004266916.tif 000006
【図５】
2004266916.tif 000007
【図６】
2004266916.tif 000008